(57)【要約】  （ａ）化学性刺激剤と、（ｂ）噴射剤であって、噴射剤はトランスＨＦＯ−１２３４ｚｅを含む、噴射剤と、（ｃ）溶媒であって、当該溶媒はトランスＨＦＯ−１２３３ｚｄを含む、溶媒と、（ｄ）非イオン性界面活性剤及び／又はイオン性界面活性剤とを含有する唐辛子スプレー組成物を開示する。【特許請求の範囲】
【請求項１】
唐辛子スプレー組成物であって、
（ａ）有効成分として唐辛子ベースの抽出物を含む約０．１重量％〜約２０重量％の化学性刺激剤と、
（ｂ）約１０重量％〜約８０重量％の噴射剤であって、前記噴射剤は少なくとも約７０重量％のトランスＨＦＯ−１２３４ｚｅを含む、噴射剤と、
（ｃ）少なくとも約５パーセントの溶媒であって、前記溶媒はトランスＨＦＯ−１２３３ｚｄを含む、溶媒と、
（ｄ）約１０％〜約５０％の非イオン性界面活性剤と、を含み、前記（ａ）、（ｂ）、（ｃ）、及び（ｄ）の前記重量％は前記唐辛子スプレー組成物中の前記成分（ａ）〜（ｄ）の総重量に基づく、唐辛子スプレー組成物。
【請求項２】
前記溶媒は本質的にトランスＨＦＯ−１２３３ｚｄからなる、請求項１に記載の唐辛子スプレー組成物。
【請求項３】
前記溶媒はトランスＨＦＯ−１２３３ｚｄからなる、請求項１に記載の唐辛子スプレー組成物。
【請求項４】
前記唐辛子ベースの抽出物はトウガラシ含油樹脂である、請求項１、２、又は３に記載の唐辛子スプレー組成物。
【請求項５】
前記噴射剤は少なくとも約８０重量％のトランス−ＨＦＯ  １２３４ｚｅを含む、請求項１、２、３、又は４に記載の唐辛子スプレー組成物。
【請求項６】
前記噴射剤は少なくとも約９０重量％のトランス−ＨＦＯ  １２３４ｚｅを含む、請求項５に記載の唐辛子スプレー組成物。
【請求項７】
前記噴射剤は少なくとも約９９重量％のトランス−ＨＦＯ  １２３４ｚｅを含む、請求項６に記載の唐辛子スプレー組成物。
【請求項８】
前記非イオン性界面活性剤はポリエーテルである、請求項１〜７のいずれかに記載の唐辛子スプレー組成物。
【請求項９】
前記ポリエーテルはポリプロピレングリコールである、請求項７８に記載の唐辛子スプレー組成物。
【請求項１１】
イオン性界面活性剤を更に含み、前記イオン性界面活性剤はハイドロトロープである、請求項１〜９のいずれかに記載の唐辛子スプレー組成物。
【請求項１２】
前記イオン性界面活性剤はキシレンスルホン酸ナトリウムである、請求項１１に記載の唐辛子スプレー組成物。
【請求項１３】
唐辛子スプレー組成物であって、
（ａ）有効成分として唐辛子ベースの抽出物を含む約１重量％〜約２０重量％の化学性刺激剤と、
（ｂ）約１０重量％〜約８０重量％の噴射剤であって、前記噴射剤は少なくとも約７０重量％のトランスＨＦＯ−１２３４ｚｅを含む、噴射剤と、
（ｃ）少なくとも約５パーセントの溶媒であって、前記溶媒はトランスＨＦＯ−１２３３ｚｄを含む、溶媒と、
（ｄ）約１０％〜約５０％のイオン性界面活性剤と、を含み、前記（ａ）、（ｂ）、（ｃ）、及び（ｄ）の前記重量％は前記唐辛子スプレー組成物中の前記成分（ａ）〜（ｄ）の総重量に基づく、唐辛子スプレー組成物。
【請求項１４】
前記溶媒は本質的にトランスＨＦＯ−１２３３ｚｄからなる、請求項１３に記載の唐辛子スプレー組成物。
【請求項１５】
前記溶媒はトランスＨＦＯ−１２３３ｚｄからなる、請求項１３に記載の唐辛子スプレー組成物。
【請求項１６】
前記唐辛子ベースの抽出物はトウガラシ含油樹脂である、請求項１３〜１５のいずれかに記載の唐辛子スプレー組成物。
【請求項１７】
前記噴射剤は少なくとも約８０重量％のトランス−ＨＦＯ  １２３４ｚｅを含む、請求項１６に記載の唐辛子スプレー組成物。
【請求項１８】
前記噴射剤は少なくとも約９０重量％のトランス−ＨＦＯ  １２３４ｚｅを含む、請求項１７に記載の唐辛子スプレー組成物。
【請求項１９】
前記噴射剤は少なくとも約９９重量％のトランス−ＨＦＯ  １２３４ｚｅを含む、請求項１８に記載の唐辛子スプレー組成物。
【請求項２０】
前記イオン性界面活性剤はハイドロトロープである、請求項１３〜１９のいずれかに記載の唐辛子スプレー組成物。
【請求項２１】
非イオン性界面活性剤を更に含む、請求項２０に記載の唐辛子スプレー組成物。
【請求項２２】
前記イオン性界面活性剤はキシレンスルホン酸ナトリウムである、請求項２１に記載の唐辛子スプレー組成物。
【請求項２３】
唐辛子スプレー組成物であって、
（ａ）トウガラシ含油樹脂と、
（ｂ）噴射剤であって、前記噴射剤はトランスＨＦＯ−１２３４ｚｅを含む、噴射剤と、
（ｃ）ポリプロピレングリコールと、
（ｄ）ハイドロトロープと、
（ｅ）溶媒であって、前記溶媒はトランス−１２３３ｚｄを含む、溶媒と、を含む、唐辛子スプレー組成物。
【請求項２４】
前記ポリプロピレングリコールはポリプロピレングリコール４００を含み、前記ハイドロトロープはキシレンスルホン酸ナトリウムである、請求項２３に記載の唐辛子スプレー組成物。
【請求項２５】
約０．１％〜約１０％の前記唐辛子ベースの抽出物を含む、請求項１〜２４のいずれかに記載の唐辛子スプレー組成物。
【請求項２６】
約０．４％〜約５％の前記唐辛子ベースの抽出物を含む、請求項１〜２４のいずれかに記載の唐辛子スプレー組成物。
【請求項２７】
約０．５％〜約３％の前記唐辛子ベースの抽出物を含む、請求項１〜２４のいずれかに記載の唐辛子スプレー組成物。
【請求項２８】
前記噴射剤は少なくとも約８０重量％のトランスＨＦＯ−１２３４ｚｅを含む、請求項１〜２７のいずれかに記載の唐辛子スプレー組成物。
【請求項２９】
前記噴射剤は少なくとも約９０重量％のトランスＨＦＯ−１２３４ｚｅを含む、請求項１〜２７のいずれかに記載の唐辛子スプレー組成物。
【請求項３０】
前記噴射剤は少なくとも約９５重量％のトランスＨＦＯ−１２３４ｚｅを含む、請求項１〜２７のいずれかに記載の唐辛子スプレー組成物。
【請求項３１】
約１５重量％〜約８０重量％の前記噴射剤を含む、請求項１〜３０のいずれかに記載の唐辛子スプレー組成物。
【請求項３２】
約２０重量％超の前記噴射剤を含む、請求項１〜３０のいずれかに記載の唐辛子スプレー組成物。
【請求項３３】
約５０重量％未満の前記噴射剤を含む、請求項１〜３０のいずれかに記載の唐辛子スプレー組成物。
【請求項３４】
前記組成物は相分離を示さない、請求項１〜３３のいずれかに記載の唐辛子スプレー組成物。
【請求項３５】
前記組成物は透明な安定した組成物である、請求項１〜３３のいずれかに記載の唐辛子スプレー組成物。
【発明の詳細な説明】
【技術分野】
【０００１】
関連出願の相互参照
本出願は、２０１６年７月２８日に出願された米国仮出願第６２／３６８，０１３号に関連し、その優先権を主張するものであり、同仮出願は、参照により本明細書に組み込まれる。
【０００２】
本発明は、標的を撃退し、かつ／又は一時的に無力化するためのスプレー製剤に関する。製剤は、唐辛子抽出物及び噴射剤、並びに相溶化剤系を含む。本発明は更に、広範囲の使用条件下において有用であり、特にエアゾールスプレーでの使用に適した、安定性の高い噴霧を可能にする、自己防衛のための唐辛子スプレーで使用するための非毒性、不燃性、及び環境にやさしい噴射剤／相溶化剤系に関する。
【背景技術】
【０００３】
自己防衛用エアゾールスプレーはよく知られている。市販の自己防衛スプレーは、化学性刺激剤及び噴射剤を含有している。噴射剤は、化学性刺激剤が標的に到達するために十分な距離に亘って、溶液を容器から推進することができる物質である。自己防衛スプレーは、典型的には、クロロアセトフェノン（メース）、オルトクロロベンジリデンマロンニトリル（催涙ガス）、又は唐辛子抽出物などの催涙物質を有効成分として有する。このような「唐辛子スプレー」は、唐辛子の抽出物を含有し、様々なカプサイシン濃度で入手可能であり、カプサイシンが、唐辛子スプレーの効果を生み出す主成分である。
【０００４】
先行技術の唐辛子スプレー組成物は、炭化水素類、フロン、又はフルオロカーボンを噴射剤として使用してきた。ほとんどの炭化水素噴射剤は可燃性であり、炭化水素を噴射剤として使用することに関連する困難及び潜在的リスクが存在する。フロン、ＣＦＣは、世界中で冷蔵庫、空調機、エアロゾルにおいて、及び絶縁発泡体のために、使用されてきた。ＣＦＣは、一般に非毒性、不燃性であり、ヒトに近接して使用するために安全であるとみなされている。残念ながら、ＣＦＣは、地球のオゾン層に悪影響を及ぼす。オゾン層は地球表面から有害な放射線をフィルタリングするため、皮膚癌の発生率の増大は、オゾン層の厚さ又は濃度の低下に起因すると考えられている。
【０００５】
ＣＦＣの使用量を低減する取り組みが国際的に行われている。これらの取り組みは、大気中に放出されるＣＦＣの量を制限することによりオゾン層を保護するように設計されたウィーン条約及びモントリオールプロトコルへと結実した。このプロトコルによって規制される全てのＣＦＣがオゾン層に対して同様の脅威となるわけではないので、個々の化合物にオゾン破壊係数（ｏｚｏｎｅ  ｄｅｐｌｅｔｉｏｎ  ｐｏｔｅｎｔｉａｌ、ＯＤＰ）が割り当てられている。ＯＤＰは、ＣＦＣによって放出される塩素の、オゾン層のオゾン濃度に対する潜在的な効果の目安である。ＯＤＰは、化合物の大気寿命から、化合物が紫外光により分解された後の放出された塩素の有効性から、算出される。例えば、ＣＦＣ−１１（Ｆ−１１、フロン−１１、アークトン、又はトリクロロフルオロメタンとしても知られる）は、フレオン１２（ジクロロジフルオロメタン）と同様に、１．０のＯＤＰを有する。ゼロのＯＤＰを有する化合物は、オゾン層に対して実質的には悪影響を与えない。
【０００６】
多くの例では、ＣＦＣ化合物を置き換えるためにハイドロフルオロカーボン（Ｈｙｄｒｏｆｌｕｏｒｏｃａｒｂｏｎ、ＨＦＣ）が使用されている。ＨＦＣ化合物はオゾンを破壊しないが、地球温暖化に影響を与え得ることが最近になって発見されている。多くのＨＦＣ化合物は、二酸化炭素よりも強力な温暖化剤である。例えば、ＯＤＰがゼロであるＨＦＣ−１３４ａ（１，１，１，２−テトラフルオロエタン）は、唐辛子スプレーを含むエアロゾル中で噴射剤として使用されているが、１３００の高い地球温暖化係数（ｇｌｏｂａｌ  ｗａｒｍｉｎｇ  ｐｏｔｅｎｔｉａｌ、ＧＷＰ）を有する。
【０００７】
したがって、フロン、可燃性炭化水素、及びＨＦＣ−１３４ａ、唐辛子スプレー製剤中で使用される噴射剤を、低いオゾン破壊係数、低い地球温暖化係数を有し、ＨＦＣ−１３４ａの欠点の一部又は全部に対処する不燃性代替物で置き換えることが望ましい。
【０００８】
不燃性、非オゾン破壊性の噴射剤を含む自己防衛用唐辛子スプレー組成物の作成に成功するためには、多数の課題を克服しなければならない。これらの問題は、噴射剤の溶媒特性、及び唐辛子油の安定した均一な分散液を得ることの難しさに由来する。
【発明の概要】
【０００９】
本明細書に開示されるものは、化学性刺激剤とテトラフルオロプロペンを含む噴射剤とを含む唐辛子スプレー組成物である。化学性刺激剤は、唐辛子抽出物である。唐辛子スプレー組成物を含む容器、並びに標的を撃退及び／又は一時的に無力化するために唐辛子スプレー組成物を使用する方法も開示する。
【００１０】
本発明は、（ａ）唐辛子ベースの抽出物である化学性刺激物と、（ｂ）噴射剤であって、噴射剤はＨＦＯ−１２３４を含む、噴射剤と、（ｃ）相溶化剤であって、相溶化剤は非イオン性界面活性剤及びイオン性界面活性剤を含む、相溶化剤と、を含む唐辛子スプレー組成物を提供する。相溶化剤は、溶媒、好ましくはトランス１２３３ｚｄなどの異性体又はＨＣＦＯ−１２３３を更に含んでもよい。唐辛子ベースの抽出物は、トウガラシ含油樹脂、又は唐辛子スプレー組成物に曝露されたとき標的を撃退又は一時的に無力化するのに十分な別の化学性刺激剤であってもよい。
【００１１】
別の実施形態では、本発明は、（ａ）トウガラシ含油樹脂と、（ｂ）噴射剤であって、当該噴射剤はトランスＨＦＯ−１２３４ｚｅを含む、噴射剤と、（ｃ）ポリプロピレングリコールと、（ｄ）ハイドロトロープと、（ｅ）溶媒であって、溶媒はトランス−１２３３ｚｄを含む、溶媒と、を含む、唐辛子スプレー組成物を提供する。一部の好ましい態様では、ポリプロピレングリコールはポリプロピレングリコール４００を含み、ハイドロトロープはキシレンスルホン酸ナトリウムである。
【発明を実施するための形態】
【００１２】
本明細書に開示されるものは、（周囲温度及び圧力において）不燃性であり、オゾン層に害を与えず、地球温暖化に対する影響が低減された噴射剤を有する、エアゾール容器に収容される唐辛子スプレー組成物である。唐辛子スプレー組成物は、標的を撃退及び／又は一時的に無力化することができる唐辛子ベースの化学性刺激剤と、テトラフルオロプロペンを含む噴射剤とを含む。噴射剤は、０．０５以下のオゾン破壊係数、及び１０００以下、又はより具体的には７５０以下、５００以下、又は更により具体的には１５０以下の地球温暖化係数を有し得る。
【００１３】
本明細書に記載の唐辛子スプレー組成物は、以前のエアロゾル組成物と比較して地球温暖化に対して低下した影響を有する。また、蒸気圧降下剤を必要としない。唐辛子スプレー組成物は、化学性刺激剤（例えば、トウガラシ含油樹脂）の均一な溶液／分散液であり、優れた安定性を示す。製剤の安定性は、４０℃のオーブンに６週間放置することにより試験した。全ての製剤は熱処理後安定であることが見出された。
【００１４】
噴射剤はハイドロフルオロオレフィン（ｈｙｄｒｏｆｌｕｏｒｏ  ｏｌｅｆｉｎ、ＨＦＯ）１２３４を含む。本明細書において、「ＨＦＯ−１２３４」という用語はテトラフルオロプロペンを指すために使用される。テトラフルオロプロペンには、２，３，３，３−テトラフルオロプロペン（ＨＦＯ−１２３４ｙｆ）と、シス−及びトランス−１，３，３，３−テトラフルオロプロペン（ＨＦＯ−１２３４ｚｅ）の両方とが含まれる。本明細書において、ＨＦＯ−１２３４ｚｅという用語は、シス異性体又はトランス異性体のいずれであるかにかかわらず、１，３，３，３−テトラフルオロプロペンを指すために使用される。本明細書において、「シスＨＦＯ−１２３４ｚｅ」及び「トランスＨＦＯ−１２３４ｚｅ」という用語は、それぞれ１，３，３，３−テトラフルオロプロペンのシス及びトランス異性体を記述するために使用される。したがって、「ＨＦＯ−１２３４ｚｅ」という用語は、シスＨＦＯ−１２３４ｚｅ、トランスＨＦＯ−１２３４ｚｅ、並びにこれらの全ての組み合わせ及び混合物を含む。ＨＦＯ−１２３４は、Ｈｏｎｅｙｗｅｌｌ  Ｉｎｔｅｒｎａｔｉｏｎａｌから市販されており、米国特許出願公開第２００８／０２９２５６４号に記載されており、同出願はその全体が参照により本明細書に組み込まれる。
【００１５】
噴射剤は、ＨＦＯ−１２３４の単一の異性体（他のＨＦＯ−１２３４異性体の微量不純物の存在にもかかわらず）、又はＨＦＯ−１２３４異性体の混合物を含み得る。
【００１６】
好ましい実施形態では、噴射剤はトランス−１２３４ｚｅを含む。このような実施形態では、噴射剤は、噴射剤全体に対して少なくとも約７０重量％のトランス−１２３４ｚｅを含む。他の実施形態では、噴射剤は、噴射剤に対して少なくとも約７５重量％、８０重量％、８５重量％、９０重量％又は９５重量％を含む。更なる実施形態では、噴射剤は、噴射剤全体に対して少なくとも約９９重量％のトランス−１２３４ｚｅを含む。
【００１７】
噴射剤は、１つ以上の追加の噴射剤、例えば、ＨＦＯ−１５２ａ、ＨＦＣ−１３４ａ、ＨＦＣ−２２７ｅａ、プロパン、ブタン、イソブタン、ＣＯ２、Ｎ２、ジメチルエーテル、及びこれらの組み合わせと組み合わせたＨＦＯ−１２３４、特にトランスＨＦＯ−１２３４ｚｅの混合物を含み得る。例示的な組み合せは、トランスＨＦＯ−１２３４ｚｅ及びＨＦＣ−１３４ａである。
【００１８】
噴射剤は、唐辛子スプレー組成物の総重量に対して約１０〜約９０重量パーセント、より好ましくは約１５〜約８０重量パーセントの量で存在することができる。この範囲内で、噴射剤は、約２０重量パーセント超の量で存在することができる。またこの範囲内で、噴射剤は、約５０重量パーセント未満の量で存在することができる。
【００１９】
組成物中の化学性刺激剤は、唐辛子ベースの薬剤であり、天然及び合成のトウガラシ含油樹脂及びカプサイシン類（カプサイシノイド類のファミリーを含む）を含む。好適な薬剤としては、トウガラシ含油樹脂、並びに８−メチル−Ｎ−バニリル−６−ノネンアミド（カプサイシン）及び関連化合物を含有する他の唐辛子抽出物が挙げられる。
【００２０】
唐辛子スプレー中の有効成分はカプサイシンであり、カプサイシンは、トウガラシ属植物の果実（唐辛子）由来の化学物質である。唐辛子スプレー中のカプサイシンの供給源は、トウガラシ含油樹脂であることが好ましい。トウガラシ含油樹脂、トウガラシ属の唐辛子からカプサイシンの有機溶媒を抽出して得られた油性又はワックス状樹脂。
【００２１】
唐辛子スプレーの強度は、組成物中のカプサイシンなどの活性薬剤の濃度を変えることにより調節することができる。唐辛子スプレーの強度は、標的を撃退及び／又は一時的に無力化する所望の効果を確実かつ再現性よく生じさせるようなものであるべきである。多くの用途には、唐辛子スプレー組成物は、標的に対して永久的な傷害若しくは危害を引き起こすか、又は長い回復時間を必要とするほど強くないことが好ましい。
【００２２】
唐辛子スプレーに暴露されると、標的は、目を閉じること、皮膚の灼熱感、及び息切れのうちの１つ以上を呈するであろう。標的はヒトであってもよい。他の実施形態では、標的は、犬又は熊などの動物であってもよい。
【００２３】
唐辛子スプレー組成物は、約０．１０重量％〜約１０重量％のカプサイシン、好ましくは約０．４％〜５％のカプサイシンの範囲とすることができる。この範囲内では、約０．５％〜約３．０％カプサイシンの濃度が多くの自己防衛用途に有用であり得る。
【００２４】
トウガラシ含油樹脂などの唐辛子油は、ＨＦＯ−１２３４噴射剤と混和性ではない。唐辛子油と噴射剤との均一かつ安定な分散液を達成するために、相溶化剤使用される。相溶化剤組成物は、溶媒及び界面活性剤の１つ以上を含む。
【００２５】
溶媒は、１つ以上のモノクロロトリフルオロプロペン、ＨＣＦＯ−１２３３、好ましくはトランスＣＦ３ＣＨ＝ＣＣｌＨ（１２３３ｚｄＥ、トランス−１２３３ｚｄ）；シスＣＦ３ＣＨ＝ＣＣｌＨ（１２３３ｚｄＺ、シス−１２３３ｚｄ）；トランスＣＨＦ２ＣＦ＝ＣＣｌＨ（１２３３ｙｄＥ）；シスＣＨＦ２ＣＦ＝ＣＣｌＨ（１２３３ｙｄＺ）；トランスＣＨＦ２ＣＨ＝ＣＣｌＦ（１２３３ｚｂＥ）；シスＣＨＦ２ＣＨ＝ＣＣｌＦ（１２３３ｚｂＺ）；トランスＣＨＦ２ＣＣｌ＝ＣＨＦ（１２３３ｘｅＥ）；シスＣＨＦ２ＣＣｌ＝ＣＨＦ（１２３３ｘｅＺ）；ＣＨ２ＦＣＣｌ＝ＣＦ２（１２３３ｘｃ）；トランスＣＨＦＣｌＣＦ＝ＣＦＨ（１２３３ｙｅＥ）；シスＣＨＦＣｌＣＦ＝ＣＦＨ（１２３３ｙｅＺ）；ＣＨ２ＣｌＣＦ＝ＣＦ２（１２３３ｙｃ）；ＣＦ２ＣｌＣＦ＝ＣＨ２（１２３３ｘｆ）；及びこれらのうちの２つ以上の組み合わせからなる群から選択される化合物を含む。好ましい実施形態では、モノクロロトリフルオロプロペンは１２３３ｚｄ、特にトランス１２３３ｚｄである。その他の溶媒としては、トランス−ジクロロエチレンなどが挙げられる。
【００２６】
他の溶媒又は共溶媒としては、アルコール類、グリコールエーテル類を含むグリコール類、エトキシル化されたグリコール類、及びこれらの混合物が挙げられる。アルコール類としては、エタノール、プロパノール、イソプロパノール、グリセリン、プロパンジオール、１−プロポキシ−２−プロパノール、１−ブトキシ−２−プロパノールなど、及びこれらの混合物が挙げられる。グリコール類としては、ジプロピレングリコールｎ−ブチルエーテル、ジプロピレングリコールｎ−プロピルエーテル、ジエチレングリコールブチルエーテル、ジプロピレングリコールモノメチルエーテル、エチレングリコールモノプロピルエーテル、ジエチレングリコールモノメチルエーテル、ジエチレングリコールモノエチルエーテル、トリエチレングリコールモノブチルエーテル、プロピレングリコールモノメチルエーテル、トリエチレングリコールモノメチルエーテル、トリプロピレングリコールモノブチルエーテルなどが挙げられる。
【００２７】
溶媒、特にトランス−１２３３ｚｄは、唐辛子スプレー組成物内に存在する場合には、唐辛子スプレー組成物の約５重量％〜約５０重量％の量で存在してもよい。一部の実施形態では、溶媒は、唐辛子スプレー組成物の約１０重量％〜約４０重量％の量で存在する。
【００２８】
界面活性剤は、非イオン性界面活性剤、イオン性界面活性剤、又はこれらの混合物であってよい。唐辛子スプレー組成物において使用するための非イオン性界面活性剤としては、ポリエーテル類、グリコールエーテル類、及びエトキシル化アルコール類、並びにこれらの混合物が挙げられる。ポリエチレングリコール、ポリプロピレングリコール、及びこれらの混合物などのポリエーテル類が好ましい。一部の実施形態では、非イオン性界面活性剤はポリプロピレングリコールを含む。エトキシル化アルコール類としては、ｌｕｔｅｎｓｏｌ、ｂｉｏ−ｓｏｆｔ、ｓａｓｏｌ、及びゲルベアルコール硫酸塩が挙げられる。グリコールエーテル類としては、Ｄｏｗａｎｏｌ  ＤＰＭ、ＤＰｎＢなどが挙げられる。
【００２９】
ポリプロピレングリコールなどのポリエーテルは、好ましくは約２０００未満、より好ましくは約１０００未満の分子量を有する。好ましい実施形態では、非イオン性界面活性剤はポリプロピレングリコール４００を含む。
【００３０】
非イオン性界面活性剤、特にポリプロピレングリコールは、唐辛子スプレー組成物の約１０重量％〜約５０重量％の量で存在してもよい。一部の実施形態では、非イオン性界面活性剤は、唐辛子スプレー組成物の約２０重量％〜約４０重量％の量で存在する。
【００３１】
唐辛子スプレー組成物において使用するためのイオン性界面活性剤は、ハイドロトロープを含む。ハイドロトロープは、一般に、２つの部分から、カルボンキシレート酸塩又はスルホン酸塩などのアニオン性基と疎水性芳香環又は環系とからなる。好ましいハイドロトロープとしては、キシレンスルホン酸塩、パラトルエンスルホン酸塩、クメン酸塩などの塩が挙げられる。塩類は、ナトリウム、カリウム、アンモニウムなどを含み得る。唐辛子スプレーにおいて使用するための特に好ましいハイドロトロープは、キシレンスルホン酸ナトリウムである。
【００３２】
イオン性界面活性剤、特にキシレンスルホン酸ナトリウムなどのハイドロトロープは、唐辛子スプレー組成物の約５重量％〜約４０重量％の量で存在してもよい。一部の実施形態では、イオン性界面活性剤は、唐辛子スプレー組成物の約１０重量％〜約２０重量％の量で存在する。
【００３３】
唐辛子スプレー組成物は、界面活性剤、レオロジー調節剤、染料（可視又はＵＶ反応性のいずれか）、及び麻酔薬も含有し得る。麻酔薬は、クロロホルム、シクロプロパン、デスフルラン、エンフルラン、ハロタン、メトキシフルラン、エチレン、エチルエーテル、イソフルラン、セボフルラン、トリクロエチレン、キセノンなどとすることもできる。
【００３４】
本発明による唐辛子スプレー組成物は、典型的には、キャニスタに入れて供給され、キャニスタは、ポケット又はハンドバッグに入れて持ち運ぶのに十分なほど小型であることが多い。唐辛子スプレーは、指輪などの品目に隠された状態で購入することができる。また、ペイントボール銃から発射することができる唐辛子スプレー発射体も入手可能である。
【実施例】
【００３５】
比較例１．
トウガラシ含油樹脂（８５％）、グリセリンを含むオレイン酸モノエステル（５．０％）、及びひまわり油（１０．０％）からなる活性刺激剤組成物を調製し、これらの実施例の化学性刺激製剤として使用した。トランス−１２３４ｚｅ、トランス１２３３ｚｄ、及びトランス−１２３４ｚｅとトランス−１２３３ｚｄの様々な混合物におけるこの活性刺激剤の均一な分散液の調製のために相溶性を試験するために、いくつかの組成物を調製した。
【００３６】
これらの実験のための混合は、最大１２０ｐｓｉの高圧を取り扱うことができるＦｉｓｈｅｒ−Ｐｏｒｔｅｒガラス管内で行った。最初に、存在する場合は他の成分他の常温液体成分とともに、活性刺激組成物（唐辛子油の代わりにＰＯと表示する）を管内に添加し、次いで、製剤に使用するときはトランス１２３３ｚｄの冷蔵試料をそこに添加した。トランス１２３４ｚｅが存在する場合、トランス１２３４ｚｅは、加圧装置を使用してガラスビュレットを通じて添加した。管内の蒸気圧は、管に取り付けられた圧力計を使用して測定した。管内の平均圧力は約５５ｐｓｉであった。
【００３７】
試験した配合物を以下の表ＣＥ１で同定する。各場合に、表示されている量の活性刺激組成物（以下の表では唐辛子油の代わりにＰＯと表示する）を、表示されている量のトランス１２３４ｚｅと、１つの場合にはトランス１２３３ｚｄ及びトランス１２３４ｚｄ並びに／又は追加の成分の混合物と混合し、各場合に成分の不安定性及び／又は分離を書き留める。
【００３８】
【表ＣＥ１】
2019531452.tif 000002
【００３９】
実施例１．１２３４ｚｅ、１２３３ｚｄ、及び１２３４ｚｅと１２３３ｚｄの混合物中への唐辛子油の可溶化
比較例１として使用したのと同じ活性刺激組成物を調製し、これらの実施例の化学性刺激製剤として使用した。トランス−１２３４ｚｅ、トランス−１２３３ｚｄ、及びトランス−１２３４ｚｅとトランス−１２３３ｚｄの様々な混合物におけるこの活性刺激剤の均一な分散液の調製のために相溶性を試験するために、いくつかの組成物を調製した。試験した配合物を以下の表１で同定する。各場合に、表示されている量の活性刺激組成物（以下の表では唐辛子油の代わりにＰＯと表示する）を、表示されている量のトランス１２３４ｚｅ及び／若しくはトランス１２３３ｚｄ並びに／又は追加の成分と混合する。各場合に、観察された結果を下の表Ｅ１の備考欄に注記する。
【００４０】
【表Ｅ１】
2019531452.tif 000003
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
唐辛子スプレー組成物であって、
（ａ）有効成分として唐辛子ベースの抽出物を含む約０．１重量％〜約２０重量％の化学性刺激剤と、
（ｂ）約１０重量％〜約８０重量％の噴射剤であって、前記噴射剤は少なくとも約７０重量％のトランスＨＦＯ−１２３４ｚｅを含む、噴射剤と、
（ｃ）少なくとも約５パーセントの溶媒であって、前記溶媒はトランスＨＦＯ−１２３３ｚｄを含む、溶媒と、
（ｄ）約１０％〜約５０％の非イオン性界面活性剤と、を含み、前記（ａ）、（ｂ）、（ｃ）、及び（ｄ）の前記重量％は前記唐辛子スプレー組成物中の前記成分（ａ）〜（ｄ）の総重量に基づく、唐辛子スプレー組成物。
【請求項２】
唐辛子スプレー組成物であって、
（ａ）有効成分として唐辛子ベースの抽出物を含む約１重量％〜約２０重量％の化学性刺激剤と、
（ｂ）約１０重量％〜約８０重量％の噴射剤であって、前記噴射剤は少なくとも約７０重量％のトランスＨＦＯ−１２３４ｚｅを含む、噴射剤と、
（ｃ）少なくとも約５パーセントの溶媒であって、前記溶媒はトランスＨＦＯ−１２３３ｚｄを含む、溶媒と、
（ｄ）約１０％〜約５０％のイオン性界面活性剤と、を含み、前記（ａ）、（ｂ）、（ｃ）、及び（ｄ）の前記重量％は前記唐辛子スプレー組成物中の前記成分（ａ）〜（ｄ）の総重量に基づく、唐辛子スプレー組成物。
【請求項３】
唐辛子スプレー組成物であって、
（ａ）トウガラシ含油樹脂と、
（ｂ）噴射剤であって、前記噴射剤はトランスＨＦＯ−１２３４ｚｅを含む、噴射剤と、
（ｃ）ポリプロピレングリコールと、
（ｄ）ハイドロトロープと、
（ｅ）溶媒であって、前記溶媒はトランス−１２３３ｚｄを含む、溶媒と、を含む、唐辛子スプレー組成物。
【国際調査報告】
2019531452.tif 000004
2019531452.tif 000005
2019531452.tif 000006